(57)【要約】      （修正有）【課題】モップ清掃用具のモップ糸の乾燥を、より促進出来るモップ糸乾燥装置及び乾燥装置台座を提供する。【解決手段】モップ糸乾燥装置は、モップ清掃用具のモップ糸固定ホルダーに装着される支え固定金具２と、支え固定金具２の両端からそれぞれ水平に延在することで、下部から水平にモップ糸を押し広げる枠と、を備える。乾燥装置台座は、モップ糸乾燥装置を装着したモップ糸固定ホルダーを装着可能な上部固定用金具と、固定用エル形移動金具と、上部固定用金具と固定用エル形移動金具とを固定する蝶ナットとを備え、上部固定用金具と固定用エル形移動金具で外壁やフェンスを挟持して固定される。更に、上部固定用金具は上下方向に延びる切り込みを有し、固定用エル形移動金具を切り込みに沿って移動させる。【選択図】図１
0003210171.tif 000002
【実用新案登録請求の範囲】
【請求項１】
モップ清掃後に、室内外でのモップ糸の容易に乾燥を促進出来る構造にする。
【請求項２】
モップ糸乾燥場所を、モップハンドル付いた間々、外部の日当たり、風通しの良いところにでも容易に移動出来、乾燥促進出来る構造にする。
【請求項３】
モップハンドルからモップ糸ホルダーを、取り外し、単体で日当たり、風通しの良いところの外壁、フェンス等でも容易に乾燥出来る構造にする。
【請求項４】
モップ糸乾燥後は、室内で容易に、整理整頓出来て、美観を保てる構造にする。
【考案の詳細な説明】
【技術分野】
【０００１】  本発明は、モップ清掃用具のモップ糸の乾燥を、より促進出来る装置に関するものである。
【背景技術】
【０００２】  従来の、モップ糸の乾燥は、清掃終了後にモップ絞り器内で、水、洗剤にて洗い、絞り器で絞り、さらに手絞り後に、モップハンドルの装着の間々、立て掛けるか、モップハンドルからモップ糸ホルダーを取り外し後、他の物品の上等に、広げて乾燥している。
乾燥場所は、清掃用具置き場に限られるのが一般的で、このような乾燥場所は、室内の奥で、風通し、日当たり等の条件には、劣悪で、乾燥しきれず、いわゆる生乾き状態で、時間経過しますと、雑菌の繁殖により、悪臭の苦情と、モップ糸の劣化が進む問題を発生している。
【考案の開示】
【考案が解決しようとする課題】
【０００３】（イ）モップ糸の、中途乾燥の生乾きによる悪臭発生する。
（ロ）乾燥場所は、掃除用具置き場で狭く、風通し、日当たりが少ないので乾燥しにくい。
（ハ）モップ糸の枚数が多いと、場所が多く取られ、美観に良くない
（ニ）モップ糸の劣化が早まる。
本発明は、これらの問題点を解決するためになされたものである。
【課題を解決するための手段】
【０００４】（イ）モップ糸乾燥装置は、モップ糸を、風通しや日当たり良い場所に移動、より乾燥促進する手段に、モップ糸を押し上げる枠を設けて、乾燥しやすい構造にする
（ロ）モップ糸乾燥装置を使用時には、モップハンドルを上部にて、モップ糸は下部に向け、［図７］のモップ糸乾燥装置を右側から固定ホルダーに向けて、（Ａ→Ｂ）に差し込み、全体を支える板バネ状の固定金具にモップ糸固定ホルダーを合体し、モップ糸を押し広げる枠を設け、支える丸管により、枠は下部から水平にモップ糸を押し上げた状態で、［図１］の斜視図右側面に引くことで、調整板は、枠を固定出来る、乾燥促進の構造にする。
（ハ）モップ糸乾燥装置は、モッ糸固定ホルダーにモップハンドルを装着の間々、容易に移動し、外部の風通しや日当たり良い場所に直接移動、乾燥促進出来る構造にする。
（ニ）モップハンドルから、モップ糸固定ホルダーを取り外し、単体で、外部の日当たりの良い外壁、フェンス等に、外部用乾燥装置台座を設、ここにモップ糸乾燥装置ともに、取り付ける構造にする。
（ホ）使用時には、フェンス等に台座を挟み込む構造にして固定、ここにモップ糸固定ホルダーを装着、より乾燥促進出来る構造にする。
（ヘ）乾燥終了後は、室内に取り込み、整理整頓用に兼用構造にする。
【考案の効果】
【０００５】本発明は、モップ糸乾燥装置を設けることにより、乾燥促進と、モップ糸の生乾き状態による悪臭対応と、モップ糸劣化の改善、ゴミ置き場での、置き場所の整理整頓と美観的に、効果を多くもたらすものである。
【考案を実施するための最良の形態】
【０００６】（イ）モップ糸乾燥装置は、モップ糸（５）を、風通しや日当たり良い場所に移動、より乾燥促進する手段に、モップ糸（５）を押し上げる枠（１）を設けて、乾燥しやすい構造にする。
（ロ）モップ糸乾燥装置を使用時には、モップハンドル（７）を上部にて、モップ糸（５）は下部に向け、［図７］のモップ糸乾燥装置を右側から固定ホルダー（６）に向けて、（Ａ→Ｂ）差し込み、全体を支える板バネ状、支え固定金具（２）にモップ糸（５）固定ホルダー（６）を合体し、モップ糸（５）を押し広げる枠（１）を支え金具、装着用丸管（３）により、枠（１）は下部から水平にモップ糸（５）を押し上げた状態で、［図１］の斜視図右側面に引くことで、支え金具、調整板（４）で、枠（１）は固定出来、乾燥促進の構造にする。
（ハ）モップ糸乾燥装置は、モッ糸（５）固定ホルダー（６）にモップハンドル（７）を装着の間々、外部の風通しや日当たり良い場所に直接移動、乾燥促進出来る構造にする。
（ニ）モップハンドル（７）から、モップ糸（５）固定ホルダー（６）を取り外し、単体で、外部の日当たりの良い外壁、フェンス等（１６）に、外部用乾燥装置台座（９）を設ける。
（ホ）使用時例として、フェンス等（１６）に取り付けるには、乾燥装置台座（９）の上部固定用金具（１１）と固定用エル形移動金具（１２）をエル形上下移動用切れ込み（１３）に沿って移動し、フェンス等（１６）を挟み、エル形移動金具固定止め蝶ナット（１４）により固定し、モップ乾燥装置を取り付け、ここにモップ糸（５）固定ホルダー（６）を装着、より乾燥促進出来る構造にする。
（ヘ）乾燥終了後は、乾燥装置台座（９）ごと、室内に取り込み、整理整頓用に兼用構造にする。
【図面の簡単な説明】
【０００７】
【図１】  モップ糸乾燥用具の使用状態、斜視図
【図２】  モップ糸乾燥用具の使用状態、正面図
【図３】  モップ糸乾燥用具の使用状態、背面図
【図４】  モップ糸乾燥用具の使用状態、左側面図
【図５】  モップ糸乾燥用具の使用状態、右側面図
【図６】  モップ糸乾燥用具の閉止状態、右側面図
【図７】  モップ糸乾燥用具の閉止状態、差し込み途中図
【図８】  モップ糸乾燥用具セット後、上部から下部にハンドル位置変更にて使用状態、左側面図
【図９】  同上、［図８］使用状態、正面図
【図１０】  モップ糸乾燥、単独取り付け外部用乾燥装置台座、右側面図
【図１１】  モップ糸乾燥、単独取り付け外部用乾燥装置台座、正面図
【図１２】  モップ糸乾燥、単独取り付け使用状態、右側面図
【図１３】  同上、［図１２］使用状態、正面図
【符号の説明】
【０００８】  （１）支え金具
（２）支え固定金具
（３）支え金具、装着用丸管
（４）支え金具、調整板
（５）モップ糸
（６）固定ホルダー
（７）モップハンドル
（８）モップ糸固定ホルダー装着、脱着ボタン
（９）外部用乾燥装置台座
（１０）モップ糸乾燥装置取り付け台座ビス穴
（１１）外壁、フェンス等上部固定用金具
（１２）外壁、フェンス等固定用エル形移動金具
（１３）固定用エル形上下移動用切れ込み
（１４）固定用レバー止め蝶ナット
（１５）外部取り付け装置、固定金具止めビス穴
（１６）外部取り付けのフェンス使用状態
Ａ→Ｂはモップ糸乾燥装置の差し込み方向
【図１】
0003210171.tif 000003
【図２】
0003210171.tif 000004
【図３】
0003210171.tif 000005
【図４】
0003210171.tif 000006
【図５】
0003210171.tif 000007
【図６】
0003210171.tif 000008
【図７】
0003210171.tif 000009
【図８】
0003210171.tif 000010
【図９】
0003210171.tif 000011
【図１０】
0003210171.tif 000012
【図１１】
0003210171.tif 000013
【図１２】
0003210171.tif 000014
【図１３】
0003210171.tif 000015
【手続補正書】
【提出日】平成28年12月6日(2016.12.6)
【手続補正１】
【補正対象書類名】実用新案登録請求の範囲
【補正対象項目名】全文
【補正方法】変更
【補正の内容】
【実用新案登録請求の範囲】
【請求項１】
モップ清掃後に、室内外でのモップ糸の容易に乾燥を促進出来る、２本の支え金具付、モップ糸乾燥装置を、モップ固定ホルダーに差し込み、固定後に支え金具を上部に押し上げると、この部分のモッ糸は水平に押し上げられる、この位置で支え金具を手前に引くことにより固定し、風通しを良くすることを特徴とするモップ乾燥装置。
【請求項２】
モップ糸乾燥場所には、モップハンドルを取り付けた間々、請求項１を外部の日当たり、風通しの良いところに、容易に移動出来、その場で乾燥促進出来る、ことを特徴とするモップ乾燥装置。
【請求項３】
モップハンドルからモップ糸ホルダーを、取り外し、単体で日当たり、風通しの良いところの外壁、フェンス等でも容易に移動し、請求項１をモップ糸乾燥装置取り付け台座に固定出来る、ことを特徴とする、取り付け台座。
【請求項４】
モップ糸乾燥後は、室内にて容易に、請求項３の台座を固定し整理整頓を容易に出来、美観を保てる特徴とする、取り付け台座。
【手続補正書】
【提出日】平成29年3月1日(2017.3.1)
【手続補正１】
【補正対象書類名】実用新案登録請求の範囲
【補正対象項目名】全文
【補正方法】変更
【補正の内容】
【実用新案登録請求の範囲】
【請求項１】
モップ清掃用具のモップ糸固定ホルダーに装着される支え固定金具と、前記支え固定金具の両端からそれぞれ水平に延在することで、下部から水平にモップ糸を押し広げる枠と、を備えることを特徴とするモップ糸乾燥装置
【請求項２】
請求項１記載のモップ糸乾燥装置を装着した前記モップ糸固定ホルダーを
装着可能な上部固定金具と、固定用エル形移動金具と、前記上部固定用金具
と前記固定用エル形移動金具とを固定する蝶ナットとを備える乾燥装置台座
であって、前記上部固定用金具と前記固定用エル形移動金具で外壁やフェン
スを挟持して固定される乾燥装置台座。
【請求項３】
前記上部固定用金具は上下方向に延びる切り込みを有し、前記固定用エル形移動金具を前記切り込みに沿って移動させることを特徴とする請求項２記載の乾燥装置台座。